(57)【特許請求の範囲】
【請求項１】
部品実装機の表示装置の画面表示を管理する部品実装機の表示管理システムにおいて、  前記表示装置の前に居る人が所持する非接触通信機器と通信して当該人の画面表示視認権限の情報を受信する通信手段と、
前記通信手段で受信した画面表示視認権限の情報に基づいて前記表示装置の画面表示を前記画面表示視認権限で視認可能な画面表示に切り替える画面表示切替手段と
を備え、
前記通信手段の通信可能範囲は、前記表示装置の前に居る人が所持する非接触通信機器と通信可能な範囲と同等又はそれよりも少し広い範囲に設定されていることを特徴とする部品実装機の表示管理システム。
【請求項２】
前記表示装置の前に居る人の有無を検出する人検出手段を備え、
前記画面表示切替手段は、前記人検出手段で前記人を所定時間以上検出しないときに前記表示装置の画面表示を消灯又は権限無しで視認可能な画面表示に切り替えることを特徴とする請求項１に記載の部品実装機の表示管理システム。
【請求項３】
前記画面表示切替手段は、前記通信手段で画面表示視認権限の情報を所定時間以上受信しないときに前記表示装置の画面表示を消灯又は権限無しで視認可能な画面表示に切り替えることを特徴とする請求項１又は２に記載の部品実装機の表示管理システム。
【請求項４】
前記画面表示切替手段は、電源投入後の初期化処理により前記表示装置の初期の画面表示を消灯又は権限無しで視認可能な画面表示に切り替えることを特徴とする請求項１乃至３のいずれかに記載の部品実装機の表示管理システム。
【請求項５】
前記画面表示視認権限を付与する作業者の種類が分類されて、作業者の分類毎に異なる画面表示視認権限が付与され、
前記画面表示切替手段は、前記通信手段で受信した作業者の画面表示視認権限の情報に基づいて当該作業者の画面表示視認権限で視認可能な画面表示に切り替えることを特徴とする請求項１乃至４のいずれかに記載の部品実装機の表示管理システム。
【請求項６】
前記表示装置の画面に表示されたログイン画面にログインＩＤを入力する入力手段を備え、
前記通信手段は、前記表示装置の前に居る人が所持する非接触通信機器から前記画面表示視認権限と作業者ＩＤの情報を受信し、
前記画面表示切替手段は、前記表示装置の画面に表示されたログイン画面に前記人が前記入力手段で入力したログインＩＤと前記通信手段で受信した前記作業者ＩＤとが対応しない場合にログインを禁止する手段を有することを特徴とする請求項１乃至５のいずれかに記載の部品実装機の表示管理システム。
【発明の詳細な説明】
【技術分野】
【０００１】
本発明は、部品実装機の表示装置の画面表示を管理する部品実装機の表示管理システムに関する発明である。
【背景技術】
【０００２】
一般に、部品実装機においては、特許文献１（特許第５４２４６８６号公報）に記載されているように、部品実装機の上部に表示装置を設置し、作業者が表示装置の画面表示を見ることで部品実装機の運転状態等を確認したり、各種の入力操作を行うことができるようになっている。
【先行技術文献】
【特許文献】
【０００３】
【特許文献１】特許第５４２４６８６号公報
【発明の概要】
【発明が解決しようとする課題】
【０００４】
ところで、部品実装機が設置された工場内に、生産とは関係しない部外者が立ち入って部品実装機の前を通ると、部外者が部品実装機の表示装置の画面を覗き見してしまうことがある。表示装置の画面には、秘密の生産情報等が表示されることがあるため、部外者が部品実装機の前を通ると、表示装置の画面に表示された秘密情報が部外者に漏洩してしまう可能性があった。【０００５】
そこで、本発明が解決しようとする課題は、部品実装機の表示装置の画面表示を部外者が覗き見することを防止でき、セキュリティ性を向上できる部品実装機の表示管理システムを提供することである。
【課題を解決するための手段】
【０００６】
上記課題を解決するために、本発明は、部品実装機の表示装置の画面表示を管理する部品実装機の表示管理システムにおいて、前記表示装置の前に居る人が所持する非接触通信機器と通信して当該人の画面表示視認権限の情報を受信する通信手段と、前記通信手段で受信した画面表示視認権限の情報に基づいて前記表示装置の画面表示を前記画面表示視認権限で視認可能な画面表示に切り替える画面表示切替手段とを備え、前記通信手段の通信可能範囲は、前記表示装置の前に居る人が所持する非接触通信機器と通信可能な範囲と同等又はそれよりも少し広い範囲に設定されている。
【０００７】
この構成では、部品実装機の表示装置の前に居る人が所持する非接触通信機器と通信して当該人の画面表示視認権限の情報を通信手段で受信し、受信した画面表示視認権限の情報に基づいて、画面表示切替手段により表示装置の画面表示を前記画面表示視認権限で視認可能な画面表示に切り替えるようにしたので、画面表示視認権限の無い部外者が表示装置の画面に表示された秘密の生産情報等を覗き見することを防止できて、セキュリティ性を向上できる。
【０００８】
この場合、前記表示装置の前に居る人の有無を検出する人検出手段を備え、前記画面表示切替手段は、前記人検出手段で前記人を所定時間以上検出しないときに前記表示装置の画面表示を消灯又は権限無しで視認可能な画面表示（スクリーンセーバー表示等）に切り替えるようにしても良い。このようにすれば、表示装置の前から人が居なくなった場合には、その後、表示装置の画面表示が消灯又は権限無しで視認可能な画面表示に自動的に切り替えられるため、画面表示視認権限の無い部外者が遠い場所から表示装置の画面に表示された秘密の生産情報等を覗き見することを確実に防止できて、セキュリティ性をより一層向上できる。
【０００９】
或は、前記画面表示切替手段は、前記通信手段で画面表示視認権限の情報を所定時間以上受信しないときに前記表示装置の画面表示を消灯又は権限無しで視認可能な画面表示に切り替えるようににしても良い。このようにすれば、人検出手段が無くても、人検出手段が有るのと同様のセキュリティ性を確保することができる。【００１０】
更に、前記画面表示切替手段は、電源投入後の初期化処理により前記表示装置の初期の画面表示を消灯又は権限無しで視認可能な画面表示に切り替えるようにしても良い。このようにすれば、電源投入直後からセキュリティ性を確保することができる。【００１１】
また、本発明は、前記画面表示視認権限を付与する作業者の種類を分類して、作業者の分類毎に異なる画面表示視認権限を付与し、前記画面表示切替手段は、前記通信手段で受信した作業者の画面表示視認権限の情報に基づいて当該作業者の画面表示視認権限で視認可能な画面表示に切り替えるようにしても良い。このようにすれば、作業者の分類毎に異なる画面表示視認権限を付与した場合に、作業者の分類毎に当該作業者の画面表示視認権限で視認可能な画面表示に切り替えることができる。
【００１２】
また、本発明は、前記表示装置の画面に表示されたログイン画面にログインＩＤを入力する入力手段を備え、前記通信手段は、前記表示装置の前に居る人が所持する非接触通信機器から前記画面表示視認権限と作業者ＩＤの情報を受信し、前記画面表示切替手段は、前記表示装置の画面に表示されたログイン画面に前記人が前記入力手段で入力したログインＩＤと前記通信手段で受信した前記作業者ＩＤとが対応しない場合にログインを禁止する手段を有するようにしても良い。このようにすれば、不正なログインをより確実に防止することができる。
【図面の簡単な説明】
【００１３】
【図１】図１は本発明の実施例１における部品実装ラインの斜視図である。
【図２】図２は実施例１の制御系の構成を示すブロック図である。
【図３】図３は実施例１の画面表示切替プログラムの処理の流れを示すフローチャートである。
【図４】図４は実施例２の画面表示切替プログラムの処理の流れを示すフローチャートである。
【発明を実施するための形態】
【００１４】
以下、本発明を実施するための形態を具体化した幾つかの実施例を説明する。
【実施例１】
【００１５】
本発明の実施例１を図１乃至図３に基づいて説明する。
まず、図１に基づいてモジュール型部品実装ラインの構成を説明する。【００１６】
モジュール型部品実装ラインのベース台１１上に、回路基板の搬送方向（Ｘ方向）に隣接して複数台の実装機モジュール１２（部品実装機）が取り替え可能に整列配置されている。各実装機モジュール１２は、本体ベッド１３上に、部品を供給するテープフィーダ等のフィーダ１４、回路基板（図示せず）を搬送するコンベア１５、吸着ノズル（図示せず）に吸着した部品を撮像する部品撮像用のカメラ１６、１本又は複数本の吸着ノズルを保持する実装ヘッド１７、回路基板の基準マークを撮像するマーク撮像用のカメラ２６（図２参照）等を搭載して構成されている。実装ヘッド１７は、ＸＹ移動機構（図示せず）によってＸＹ方向に移動され、部品吸着動作と部品実装動作を行うようになっている。各実装機モジュール１２の上部フレーム１８の前面部には、液晶ディスプレイ、ＣＲＴ等の表示装置１９と、操作キー、タッチパネル等の操作部２０（入力手段）が設けられている。操作部２０をタッチパネルで構成する場合は、表示装置１９の画面に操作部２０を表示するようにしても良い。【００１７】
各実装機モジュール１２は、上流側の実装機モジュール１２から搬送されてくる回路基板をコンベア１５によって所定位置まで搬送してクランプ機構（図示せず）で該回路基板をクランプして位置決めすると共に、フィーダ１４によって供給される部品を実装ヘッド１７の吸着ノズルで吸着して、その吸着位置から撮像位置へ移動させて部品撮像用のカメラ１６で撮像して該部品を画像認識してからコンベア１５上の回路基板に実装する。【００１８】
更に、各実装機モジュール１２の上部フレーム１８の前面部には、表示装置１９の画面表示を視認可能な所定エリアに居る人の有無を検出する人感センサ２１（人検出手段）と、表示装置１９の画面表示を視認可能な所定エリアに居る人が所持するＲＦタグ２２（非接触通信機器）と通信して当該人の画面表示視認権限の情報を受信するリーダ２３（通信手段）とが設けられている。人感センサ２１の検知範囲（所定エリア）とリーダ２３の通信可能範囲（所定エリア）は、表示装置１９の画面表示を人が目視で視認可能な範囲と同等又はそれよりも少し広い範囲に設定されている。人感センサ２１の検知範囲とリーダ２３の通信可能範囲は、ほぼ同じ範囲であっても良いし、人感センサ２１の検知範囲がリーダ２３の通信可能範囲よりも少し広い範囲（又は少し狭い範囲）であっても良い。【００１９】
ＲＦタグ２２には、画面表示視認権限の情報と作業者ＩＤの情報が記憶され、ＲＦタグ２２を所持する人がリーダ２３の通信可能範囲内に入ると、ＲＦタグ２２から発信される画面表示視認権限の情報と作業者ＩＤの情報がリーダ２３で受信されるようになっている。本実施例１では、画面表示視認権限を付与する作業者の種類を、例えばオペレータ、システム開発者、メンテナンス作業者、管理者等に分類して、作業者の分類毎に異なる画面表示視認権限を付与し、表示装置１９の画面表示を作業者の分類毎に当該作業者の画面表示視認権限で視認可能な画面表示に切り替えるようになっている。【００２０】
各実装機モジュール１２の動作を制御する制御装置２４（図２参照）は、コンピュータを主体として構成され、記憶装置２５（図２参照）にインストールされた図３の画面表示切替プログラムを実行することで、表示装置１９の画面表示を視認可能な所定エリアに居る人が所持するＲＦタグ２２から発信される画面表示視認権限の情報をリーダ２３で受信して、表示装置１９の画面表示を当該人の画面表示視認権限で視認可能な画面表示に切り替える画面表示切替手段として機能する。【００２１】
更に、各実装機モジュール１２の制御装置２４は、電源投入後の初期化処理により表示装置１９の初期の画面表示を消灯又は権限無しで視認可能な画面表示（スクリーンセーバー表示等）に切り替える。各実装機モジュール１２の制御装置２４は、人感センサ２１の出力信号を読み込んで、表示装置１９の画面表示を視認可能な所定エリアに居る人の有無を判定し、人感センサ２１で人を所定時間以上検出しないときに表示装置１９の画面表示を消灯又は権限無しで視認可能な画面表示（スクリーンセーバー等）に切り替える。ここで、「所定時間」は、チャタリング防止のために、数秒〜数十秒の範囲で適宜設定すれば良く、予め決められた一定時間であっても良いし、管理者が任意に設定できるようにしても良い。【００２２】
また、本実施例１では、人が所持するＲＦタグ２２に画面表示視認権限と作業者ＩＤの情報を記憶し、各実装機モジュール１２の制御装置２４は、表示装置１９の画面表示を視認可能な所定エリアに居る人が所持するＲＦタグ２２から発信されるＲＦＩＤ信号（画面表示視認権限と作業者ＩＤの情報）をリーダ２３で受信し、表示装置１９の画面に表示されたログイン画面に前記人が操作部２０で入力したログインＩＤとＲＦタグ２２で受信した作業者ＩＤとが対応しない場合にログインを禁止するようにしている。【００２３】
以上説明した本実施例１の表示装置１９の画面表示切替は、実装機モジュール１２の制御装置２４によって図３の画面表示切替プログラムに従って実行される。図３の画面表示切替プログラムは、実装機モジュール１２の制御装置２４への電源投入により起動される。本プログラムが起動されると、まずステップ１０１で、実装機モジュール１２の表示装置１９の初期の画面表示を消灯又は権限無しで視認可能な画面表示（スクリーンセーバー表示等）に切り替える。【００２４】
この後、ステップ１０２に進み、人感センサ２１の出力がＯＮであるか否か（つまり表示装置１９の画面表示を視認可能な所定エリアに人がいるか否か）を判定し、人感センサ２１の出力がＯＮでなければ、人感センサ２１の出力がＯＮに切り替わるまで待機するこで、表示装置１９の画面表示を視認可能な所定エリアに人が入るまで待機する。【００２５】
その後、人感センサ２１の出力がＯＮに切り替わった時点で、ステップ１０３に進み、表示装置１９の画面表示を視認可能な所定エリアに居る人が所持するＲＦタグ２２から発信されるＲＦＩＤ信号（画面表示視認権限と作業者ＩＤの情報）をリーダ２３で受信したか否かを判定し、リーダ２３でＲＦＩＤ信号を受信していなければ、リーダ２３でＲＦＩＤ信号を受信するまで待機する。【００２６】
その後、ＲＦＩＤ信号を受信した時点で、ステップ１０４に進み、表示装置１９の画面表示を、リーダ２３で受信したＲＦＩＤ信号に含まれる画面表示視認権限で視認可能な画面表示に切り替える。この後、ステップ１０５に進み、人感センサ２１の出力がＯＦＦの状態が所定時間以上継続したか否か（つまり人感センサ２１で人を所定時間以上検出しないか否か）を判定し、人感センサ２１の出力がＯＦＦの状態が所定時間以上継続したと判定されれば、前述したステップ１０１に戻り、表示装置１９の画面表示を消灯又は権限無しで視認可能な画面表示（スクリーンセーバー等）に切り替える。これにより、表示装置１９の画面表示を視認可能な所定エリアから人が出ていったときには、その後、表示装置１９の画面表示を消灯又は権限無しで視認可能な画面表示に切り替える。【００２７】
これに対して、上記ステップ１０５で、人感センサ２１の出力がＯＦＦの状態が所定時間以上継続していないと判定されれば、ステップ１０６に進み、表示装置１９の画面に表示されたログイン画面に人が操作部２０でログインＩＤを入力したか否かを判定する。ログインＩＤの入力待ちの状態で、上記ステップ１０５で、人感センサ２１の出力がＯＦＦの状態が所定時間以上継続したと判定されれば、前述したステップ１０１に戻り、表示装置１９の画面表示を消灯又は権限無しで視認可能な画面表示（スクリーンセーバー等）に切り替える。【００２８】
一方、上記ステップ１０６で、ログインＩＤが入力されたと判定されれば、ステップ１０７に進み、入力されたログインＩＤがＲＦタグ２２で受信した作業者ＩＤと対応するか否かを判定し、入力されたログインＩＤがＲＦタグ２２で受信した作業者ＩＤと対応していると判定されれば、ステップ１０８に進み、ログイン成功と判定し、入力されたログインＩＤがＲＦタグ２２で受信した作業者ＩＤと対応していないと判定されれば、ステップ１０９に進み、ログインが禁止される。【００２９】
以上説明した本実施例１によれば、実装機モジュール１２の表示装置１９の画面表示を視認可能な所定エリアに居る人が所持するＲＦタグ２２が発信する画面表示視認権限の情報をリーダ２３で受信し、受信した画面表示視認権限の情報に基づいて、表示装置１９の画面表示を当該人の画面表示視認権限で視認可能な画面表示に切り替えるようにしたので、画面表示視認権限の無い部外者が表示装置１９の画面に表示された秘密の生産情報等を覗き見することを防止できて、セキュリティ性を向上できる。【００３０】
しかも、本実施例１では、表示装置１９の画面表示を視認可能な所定エリアに居る人の有無を検出する人感センサ２１を備え、この人感センサ２１で人を所定時間以上検出しないときに表示装置１９の画面表示を消灯又は権限無しで視認可能な画面表示（スクリーンセーバー表示等）に切り替えるようにしたので、表示装置１９の画面表示を視認可能な所定エリアから人が出ていった場合には、その後、表示装置１９の画面表示を消灯又は権限無しで視認可能な画面表示に自動的に切り替えることができて、画面表示視認権限の無い部外者が遠い場所から表示装置１９の画面に表示された秘密の生産情報等を覗き見することを確実に防止できて、セキュリティ性をより一層向上できる。【００３１】
更に、本実施例１では、電源投入後の初期化処理により表示装置１９の初期の画面表示を消灯又は権限無しで視認可能な画面表示に切り替えるようにしたので、電源投入直後からセキュリティ性を確保することができる。【００３２】
また、本実施例１では、画面表示視認権限を付与する作業者の種類を分類して、作業者の分類毎に異なる画面表示視認権限を付与し、リーダ２３で受信した作業者の画面表示視認権限の情報に基づいて当該作業者の画面表示視認権限で視認可能な画面表示に切り替えるようにしたので、作業者の分類毎に異なる画面表示視認権限を付与した場合に、作業者の分類毎に当該作業者の画面表示視認権限で視認可能な画面表示に切り替えることができる。【００３３】
また、本実施例１では、ＲＦタグ２２には、画面表示視認権限の情報と作業者ＩＤの情報を記憶し、表示装置１９の画面表示を視認可能な所定エリアに居る人が所持するＲＦタグ２２から画面表示視認権限と作業者ＩＤの情報を受信し、表示装置１９の画面に表示されたログイン画面に前記人が操作部２０で入力したログインＩＤとリーダ２３で受信した前記作業者ＩＤとが対応しない場合にログインを禁止するようにしたので、不正なログインをより確実に防止することができる利点もある。
【実施例２】
【００３４】
上記実施例１では、表示装置１９の画面表示を視認可能な所定エリアに居る人の有無を検出する人感センサ２１を備えた構成としたが、本発明の実施例２では、人感センサ２１を省略し、各実装機モジュール１２の制御装置２４は、図４の画面表示切替プログラムを実行することで、ＲＦタグ２２から発信されるＲＦＩＤ信号（画面表示視認権限と作業者ＩＤの情報）を所定時間以上受信しないときに表示装置１９の画面表示を消灯又は権限無しで視認可能な画面表示（スクリーンセーバー表示等）に切り替えるようにしている。ここで、「所定時間」は、チャタリング防止のために、数秒〜数十秒の範囲で適宜設定すれば良く、予め決められた一定時間であっても良いし、管理者が任意に設定できるようにしても良い。【００３５】
本実施例２で実行する図４の画面表示切替プログラムは、上記実施例１で実行した図３の画面表示切替プログラムのステップ１０２の処理を省略し、ステップ１０５の処理をステップ１０５ａの処理に変更したものであり、その他の各ステップの処理は同じである。【００３６】
図４の画面表示切替プログラムでは、電源投入後に実装機モジュール１２の表示装置１９の初期の画面表示を消灯又は権限無しで視認可能な画面表示に切り替え（ステップ１０１）、ＲＦタグ２２から発信されるＲＦＩＤ信号（画面表示視認権限と作業者ＩＤの情報）をリーダ２３で受信した時点で、表示装置１９の画面表示を、リーダ２３で受信したＲＦＩＤ信号に含まれる画面表示視認権限で視認可能な画面表示に切り替える（ステップ１０３及び１０４）。電源投入後に、リーダ２３は、ＲＦＩＤ信号を所定周期で読み込む処理を繰り返す。【００３７】
その後、ステップ１０５ａに進み、ＲＦタグ２２から発信されるＲＦＩＤ信号をリーダ２３で所定時間以上受信しないか否かを判定し、ＲＦＩＤ信号を所定時間以上受信しないと判定されたときに、当該ＲＦタグ２２を所持する人が表示装置１９の画面表示を視認可能な所定エリアから出ていったと判断して、ステップ１０１に戻り、表示装置１９の画面表示を消灯又は権限無しで視認可能な画面表示（スクリーンセーバー等）に切り替える。【００３８】
これに対して、上記ステップ１０５ａで、ＲＦタグ２２から発信されるＲＦＩＤ信号を受信し続けていると判定されれば、ステップ１０６以降の処理を実行し、入力されたログインＩＤがＲＦタグ２２で受信した作業者ＩＤと対応していなければ、ログインが禁止される。【００３９】
以上説明した本実施例２によれば、ＲＦタグ２２から発信されるＲＦＩＤ信号をリーダ２３で所定時間以上受信しないときに、当該ＲＦタグ２２を所持する人が表示装置１９の画面表示を視認可能な所定エリアから出ていったと判断して、表示装置１９の画面表示を消灯又は権限無しで視認可能な画面表示に切り替えるようにしたので、人感センサ２１が無くても、人感センサ２１が有るのと同様のセキュリティ性を確保することができる。その他、前記実施例１と同様の効果を得ることができる。【００４０】
［その他の実施例］
前記実施例１，２では、電源投入後に表示装置１９の初期の画面表示を消灯又は権限無しで視認可能な画面表示に切り替えるようにしたが、電源投入後に表示装置１９の初期の画面表示を画面表示視認権限で視認可能な画面表示に切り替えるようにしても良い。【００４１】
また、前記実施例１，２では、ＲＦＩＤ信号に画面表示視認権限と作業者ＩＤの情報を含ませるようにしたが、ＲＦＩＤ信号に画面表示視認権限の情報のみを含ませて、図３及び図４のステップ１０６〜１０９の処理（ログインＩＤを管理する処理）を省略するようにしても良い。【００４２】
また、前記実施例１，２では、画面表示視認権限を付与する作業者の種類を分類して、作業者の分類毎に異なる画面表示視認権限を付与し、リーダ２３で受信した作業者の画面表示視認権限の情報に基づいて当該作業者の画面表示視認権限で視認可能な画面表示に切り替えるようにしたが、画面表示視認権限を１種類のみとし、画面表示視認権限で視認可能な画面表示を１種類のみとするようにしても良い。【００４３】
その他、本発明は、表示装置１９の設置位置を変更したり、画面表示視認権限の情報を送受信する非接触通信方法として、ＲＦＩＤに代えて、ブルートゥース、赤外線通信等を用いても良い等、要旨を逸脱しない範囲内で種々変更して実施できることは言うまでもない。
【符号の説明】
【００４４】
１２…実装機モジュール（部品実装機）、１９…表示装置、２０…操作部（入力手段）、２１…人感センサ（人検出手段）、２２…ＲＦタグ（非接触通信機器）、２３…リーダ（通信手段）、２４…制御装置（画面表示切替手段）
【図１】
0006491678.tif 000002
【図２】
0006491678.tif 000003
【図３】
0006491678.tif 000004
【図４】
0006491678.tif 000005